(57)【要約】 【課題】  シールドパイプを用いたシールド導電体の放熱性を向上させる。【解決手段】  シールド導電体Ｗａは、導体１１を保持体１５で保持してなる導電部材１０と、導電部材１０を包囲する金属製のシールドパイプ２０と、導電部材１０とシールドパイプ２０の隙間に充填された充填材２５とを備えている。通電によりシールドパイプ２０内で導体１１に発生した熱は、保持体１５と充填材２５を経てシールドパイプ２０に伝達され、シールドパイプ２０の外周から大気中へ放出される。導体１１とシールドパイプ２０の間に介在される保持体１５と充填材２５は空気よりも熱伝導率が高いので、保持体や充填材が存在しないものと比較すると、導体１１で発生した熱を放出する性能に優れている。【選択図】  図１
2007080623.tif 000002
【特許請求の範囲】
【請求項１】
導体を空気よりも熱伝導率の高い保持体で保持してなる導電部材と、
前記導電部材を包囲する金属製のシールドパイプと、
空気よりも熱伝導率が高く、前記導電部材の外周と前記シールドパイプの内周の隙間に充填された充填材とを備えていることを特徴とするシールド導電体。
【請求項２】
導体を空気よりも熱伝導率の高い保持体で保持してなる導電部材と、前記導電部材を包囲する金属製のシールドパイプと、空気よりも熱伝導率が高く、前記導電部材の外周と前記シールドパイプの内周の隙間に充填された充填材とを備えたシールド導電体を製造する方法であって、
流動状態の前記充填材を、前記シールドパイプの内周と前記導電部材の外周のうち少なくとも一方に塗布した状態で、前記導電部材を前記シールドパイプ内に挿入することを特徴とするシールド導電体の製造方法。
【請求項３】
前記充填材を前記シールドパイプの内周に塗布し、
前記導電部材の挿入方向先端部にキャップを取り付けた状態で、前記導電部材を前記シールドパイプに挿入し、
前記導電部材を挿入が完了した後に、前記キャップを外すことを特徴とする請求項２記載のシールド導電体の製造方法。
【請求項４】
前記導体を前記保持体の内部に貫通させるとともに、前記導体の先端部を前記保持体の先端面から突出させた形態とした上で、
前記導体の突出した先端部に、前記保持体と同径又はそれよりも小径とされた前記キャップを外嵌することを特徴とする請求項３記載のシールド導電体の製造方法。
【発明の詳細な説明】
【技術分野】
【０００１】
本発明は、シールド導電体及びシールド導電体の製造方法に関するものである。
【背景技術】
【０００２】
ノンシールド電線を使用したシールド導電体としては、複数本のノンシールド電線を、金属細線をメッシュ状に編んだ筒状の編組線からなるシールド部材で包囲することにより一括してシールドする構造のものが考えられている。この種のシールド導電体においてシールド部材と電線を保護する方法としては、一般に、シールド部材を合成樹脂製のプロテクタで包囲する手段がとられるが、プロテクタを用いると部品点数が増えるという問題がある。
【０００３】
そこで、本願出願人は、特許文献１に記載されているように、ノンシールド電線を金属製のシールドパイプ内に挿通する構造を提案した。この構造によれば、シールドパイプが、電線をシールドする機能と電線を保護する機能を発揮するので、シールド部材とプロテクタを用いたシールド導電体に比べて部品点数が少なくて済むという利点がある。
【特許文献１】特開２００４−１７１９５２公報
【発明の開示】
【発明が解決しようとする課題】
【０００４】
シールドパイプを用いたシールド導電体では、電線とシールドパイプとの間に空気層が存在しているため、通電時に電線で発生した熱が、熱伝導率の低い空気によって遮断されてシールドパイプに伝わり難く、しかも、シールドパイプには、編組線における編み目の隙間のような外部との通気経路が存在しないため、電線で発生した熱がシールドパイプの内部に籠もり易く、放熱性が低くなる傾向がある。  
ここで、導体に所定の電流を流したときの発熱量は、導体の断面積が大きい程小さくなり、発熱に起因する導体の温度上昇値は、導電路の放熱性が高いほど小さく抑えられる。したがって、導体の温度上昇値に上限が定められている環境下では、上記のように放熱効率の低いシールド導電体の場合、導体の断面積を大きくして発熱量を抑える必要がある。
ところが、導体の断面積を増大することは、シールド導電体が大径化し重量化することを意味するため、その対策が望まれる。  
本発明は上記のような事情に基づいて完成されたものであって、シールドパイプを用いたシールド導電体における放熱性を向上させることを目的とする。
【課題を解決するための手段】
【０００５】
上記の目的を達成するための手段として、請求項１の発明は、導体を空気よりも熱伝導率の高い保持体で保持してなる導電部材と、前記導電部材を包囲する金属製のシールドパイプと、空気よりも熱伝導率が高く、前記導電部材の外周と前記シールドパイプの内周の隙間に充填された充填材とを備えているところに特徴を有する。
【０００６】
請求項２の発明は、導体を空気よりも熱伝導率の高い保持体で保持してなる導電部材と、前記導電部材を包囲する金属製のシールドパイプと、空気よりも熱伝導率が高く、前記導電部材の外周と前記シールドパイプの内周の隙間に充填された充填材とを備えたシールド導電体を製造する方法であって、流動状態の前記充填材を、前記シールドパイプの内周と前記導電部材の外周のうち少なくとも一方に塗布した状態で、前記導電部材を前記シールドパイプ内に挿入するところに特徴を有する。
【０００７】
請求項３の発明は、請求項２に記載のものにおいて、前記充填材を前記シールドパイプの内周に塗布し、前記導電部材の挿入方向先端部にキャップを取り付けた状態で、前記導電部材を前記シールドパイプに挿入し、前記導電部材を挿入が完了した後に、前記キャップを外すところに特徴を有する。
【０００８】
請求項４の発明は、請求項３に記載のものにおいて、前記導体を前記保持体の内部に貫通させるとともに、前記導体の先端部を前記保持体の先端面から突出させた形態とした上で、前記導体の突出した先端部に、前記保持体と同径又はそれよりも小径とされた前記キャップを外嵌するところに特徴を有する。
【発明の効果】
【０００９】
＜請求項１の発明＞
通電によりシールドパイプ内において導体で発生した熱は、直接又は保持体を経て充填材に伝達され、充填材からシールドパイプに伝達され、シールドパイプの外周から大気中へ放出される。導体とシールドパイプの間に介在される保持体と充填材は空気よりも熱伝導率が高いので、保持体や充填材が存在しないものと比較すると、導体で発生した熱を放出する性能に優れている。
【００１０】
＜請求項２の発明＞
導電部材をシールドパイプ内に挿入した後でその隙間に充填材を注入する方法では、充填材の粘度が高い場合に導電部材とシールドパイプの間に空気溜まりが発生することが懸念されるが、本発明では、導電部材を挿入する前に、流動状態の充填材をシールドパイプの内周と導電部材の外周のうち少なくとも一方に塗布しておき、導電部材の挿入に伴って充填材が導電部材とシールドパイプの隙間を埋めるようにしたので、空気溜まりが生じる虞がない。
【００１１】
＜請求項３の発明＞
充填材がシールドパイプの内周に塗布されているので、導電部材を挿入したときに、充填材が導体の先端部に付着することが懸念されるが、本発明では、導電部材の先端部にキャップを取り付けた状態で導電部材を挿入するようにしたので、充填材が導体の先端部に付着する虞がない。
【００１２】
＜請求項４の発明＞
キャップを保持体の先端部に外嵌した場合、キャップの後端面と保持体の外周との間に段差状の凹部が形成されるが、この凹部は、キャップに対して導電部材の挿入方向後方に位置するため、導電部材の挿入過程では凹部に充填材が回り込み難くなり、凹部に空気溜まりが発生することが懸念される。その点、本発明では、保持体と同径又はそれよりも小径のキャップを、保持体の先端面から突出する導体の先端部に外嵌したので、キャップの後方に段差状の凹部が形成されず、したがって、空気溜まりの発生も回避される。
【発明を実施するための最良の形態】
【００１３】
＜実施形態１＞
以下、本発明を具体化した実施形態１を図１乃至図９を参照して説明する。本実施形態のシールド導電体Ｗａは、例えば電気自動車において走行用の動力源を構成するバッテリ、インバータ、モータなどの機器（図示せず）の間に配索されるものであり、３本の導体１１を保持体１５で保持してなる導電部材１０と、導電部材１０を包囲することで一括シールド機能と導体保護機能を兼ね備えたシールドパイプ２０と、導電部材１０の外周とシールドパイプ２０の内周の隙間に充填された充填材２５とを備えて構成されている。
【００１４】
導電部材１０を構成する導体１１は、金属製（例えば、アルミニウム合金や銅合金など）の芯線１２の外周を合成樹脂製の絶縁被覆１３で包囲したノンシールドタイプの電線からなり、芯線１２は、複数本の細線（図示せず）を螺旋状に寄り合わせた撚り線、又は棒状の単芯線からなる。導体１１の断面形状については芯線１２と絶縁被覆１３の双方が真円形とされている。また、絶縁被覆１３の材料としては、ポリプロピレン、ポリエチレン等が用いられている。  
同じく導電部材１０を構成する保持体１５は、後述するように３本の導体１１を一括して包囲する形態でモールド成形されたものであって、全体として細長く、横断面形状が円形をなしている。また、保持体１５の材料としては、導体１１の絶縁被覆１３と同じ種類であって、空気よりも熱伝導率の高い合成樹脂が用いられている。
【００１５】
３本の導体１１は保持体１５を貫通した形態となっており、保持体１５の内部において、３本の導体１１は、互いに当接するとともに概ね俵積み状（導体１１の中心を結んだときにほぼ正三角形を描く形態）をなすように束ねられた状態となっている。導体１１の絶縁被覆１３の外周面と保持体１５との間には隙間がなく、３の導体１１によって囲まれた中央空間内にも保持体１５を構成する合成樹脂材料が充填されている。また、３本の導体１１は、その３本の導体１１に外接する包絡円が保持体１５と概ね同心となるように配置されているとともに、包絡円の外径は保持体１５の外径よりも小さい寸法とされている。換言すると、導体１１は、保持体１５の外周面に露出することなく保持体１５を貫通し、導体１１の前後両端部が保持体１５の前後両端面から突出した形態となっている。導体１１の前後両端部は、絶縁被覆１３を除去して芯線１２を露出させた状態となっている。
【００１６】
シールドパイプ２０は、金属製（例えば、アルミニウム合金、銅合金、ステンレス等）であって、空気よりも熱伝導率が高く、横断面形状は概ね円形をなしている。シールドパイプ２０のうち前後両端の定径部２１Ｆ，２１Ｒを除いた大部分は、作業者が手作業により、筒状を保ちつつ軸線の曲率を増減できるように塑性変形させることが可能な変形可能部２２となっている。そして、このような塑性変形を可能とするために、変形可能部２２は、シールドパイプ２０の外周と内周に一定ピッチで螺旋状のネジ山及び溝が形成されるように加工され、軸線方向に沿って径が交互に増減する形態の波形に形成されている。また、シールドパイプ２０の内径寸法については、変形可能部２２の最小径がシールドパイプ２０の定径部２１Ｆ，２１Ｒの内径とほぼ同じ寸法となるように設定されており、この寸法は、導電部材１０（保持体１５）の外径よりも大きい寸法とされている。シールドパイプ２０は、製造前及び製造過程においては一直線状をなしている。
【００１７】
充填材２５は、空気よりも熱伝導率の高い合成樹脂材料からなる。この材料としては、後述するようにシールドパイプ２０に導電部材１０を挿入する際には挿入力低減のために粘度が低いことが好ましく、耐熱性も要求されることに鑑みると、シリコン系の樹脂が望ましいが、これ以外の合成樹脂材料を用いることもできる。
【００１８】
次に、シールド導電体Ｗａの製造工程を説明する。  
まず、図３に示すように端末処理が施されていない３本の導体１１を、概ね俵積み状に束ねてモールド金型（図示せず）内にセットする。モールド金型は、保持体１５を押し出し成形するためのものであって、流動状態とした樹脂材料の流路と、保持体１５の断面形状と同一形状であって流路をモールド金型外へ連通させる押し出し口とを備えている。３本の導体１１は、端部を押し出し口に臨ませた状態で、流路内に収容されている。押し出し口からは、３本の導体１１を一括して包囲する状態で保持体１５が成形されつつ押し出される。つまり、３本の導体１１は保持体１５と一体となって押し出し口からモールド金型外へ導出される。モールド成形後は、図４に示すように、保持体１５を必要な長さに切断し、導電部材１０を得る。
【００１９】
この後、導電部材１０の前端部（図６の左端部）において、保持体１５を除去して３本の導体１１を束ねた状態で露出される。そして、この露出させた３本の導体１１の突出端部（前端部）に、キャップ３０を外嵌する。  
キャップ３０は、全体として円柱形をなし、その外径寸法は保持体１５の外径と同じ寸法とされている。キャップ３０の前端部外周には先細り状のテーパ状をなすガイド部３１が形成されており、キャップ３０内には、その後端面に開口する嵌合孔３２が形成されている。キャップ３０は、その嵌合孔３２に３本の導体１１の突出端部を一括して嵌入させるようにして、導電部材１０の前端部に取り付けられる。取り付けた状態では、図６に示すように、キャップ３０の後端面が保持体１５の前端面に対してほぼ面接触状態で密着する。つまり、キャップ３０は導体１１の前端部（保持体１５からの突出部分）のみに外嵌される形態で取り付けられている。同じくキャップ３０を取り付けた状態では、キャップ３０の外周面が保持体１５の外周面に対して面一状に連続し、キャップ３０の外周面と保持体１５の外周面との間には、ギャップも段差も生じない。
【００２０】
一方、シールドパイプ２０については、図７に示すように、シールドパイプ２０の径寸法が一定である後端側の定径部２１Ｒ全体と変形可能部２２の後端部とを含む範囲に亘って（つまり、シールドパイプ２０における導電部材１０の挿入口から前方の所定範囲に亘って）、流動状態の充填材２５が塗布されている。充填材２５は、シールドパイプ２０の内部を前後方向（軸線方向）に見通すことができないように、換言するとシールドパイプ２０の内部を塞ぐように注入されている。この充填材２５の充填量は、シールドパイプ２０に導電部材１０を挿通させた状態におけるシールドパイプ２０の内周と導電部材１０の外周との隙間の容積に相当する量とされている。また、シールドパイプ２０後端部には、シールドパイプ２０と同心の円環形をなす漏れ留めリング３５が取り付けられている。漏れ止めリングの中心孔３６の内径は導電部材１０の外径と同じかそれよりも僅かに大きい寸法とされている。
【００２１】
導電部材１０に対するキャップ３０の取付けと、シールドパイプ２０に対する充填材２５の注入及び漏れ止めリング３５の取付けが完了したら、後方から導電部材１０をシールドパイプ２０内に挿入する。挿入に際しては、キャップ３０を先に向けて漏れ止めリング３５の中心孔３６に導電部材１０を差し込むようにする。このとき、キャップ３０の先端部は先細りのテーパ状（流線型）をなすガイド部３１となっていてガイド機能を発揮するので、キャップ３０を差し込む作業が容易となっている。
【００２２】
導電部材１０の挿入が進むのに伴い、シールドパイプ２０内では、導電部材１０の外周とシールドパイプ２０の内周との隙間が充填材２５で埋められつつ、導電部材１０の進入体積に相当する分だけ充填材２５が次第に前方へ移動していく。このとき、シールドパイプ２０の後端部には漏れ止めリング３５が取り付けられているので、充填材２５がシールドパイプ２０の後方へ漏出することはない。また、シールドパイプ２０の変形可能部２２では、内周に溝と山が連続するのであるが、充填材２５は流動性を有するので、内周の溝内にも確実に充填される（図８を参照）。
【００２３】
そして、導電部材１０がシールドパイプ２０内を貫通して、導電部材１０の前後両端部がシールドパイプ２０の外部に突出する状態になったところで、導電部材１０の挿入が完了する。このとき、導電部材１０の前端部においては、キャップ３０の全体がシールドパイプ２０の外部前方へ突出し、保持体１５の前端部は全てシールドパイプ２０の内部に収容された状態となる。また、充填材２５は、シールドパイプ２０の外部へ突出せず、充填材２５の前端はシールドパイプ２０の前端とほぼ面一となるように位置する。また、導電部材１０の保持体１５の外周面とシールドパイプ２０の内周面との間には、充填材２５が充填されているので、空気層は存在しない。
【００２４】
導電部材１０の挿入が完了したら、シールドパイプ２０の外部前方においては、図９に示すようにキャップ３０を導体１１の前端部から外すとともに、図１に示すように導体１１の前端部に対して絶縁被覆１３を除去して芯線１２を露出させる端末処理を施す。一方、シールドパイプ２０の外部後方においては、図１に示すように、導電部材１０の後端部に対し、保持体１５をシールドパイプ２０の後端面と面一となるように除去して導体１１を露出させるとともに、導体１１の後端部に対して絶縁被覆１３を除去して芯線１２を露出させる端末処理を施す。以上により、本実施形態のシールド導電体Ｗａの製造が完了する。
【００２５】
シールドパイプ内に保持体と充填材が設けられていない従来のシールド導電体（図示せず）では、導体とシールドパイプとの間に空気層が存在しているため、通電時に導体で発生した熱が、熱伝導率の低い空気層によって遮断されてシールドパイプに伝わり難く、しかも、シールドパイプには、編組線における編み目の隙間のような外部との通気経路が存在しないため、導体で発生した熱がシールドパイプの内部に籠もり易く、放熱性が低くなる傾向がある。
【００２６】
これに対し、本実施形態のシールド導電体Ｗａは、シールドパイプ２０と導体１１との間に保持体１５と充填材２５を設け、空気層が存在しないようにしたので、芯線１２の通電によりシールドパイプ２０内において導体１１で発生した熱は、絶縁被覆１３の外周から保持体１５に伝達され、保持体１５の外周から充填材２５に伝達され、充填材２５からシールドパイプ２０に伝達され、シールドパイプ２０の外周から大気中へ放出されるようになっている。そして、導体１１とシールドパイプ２０の間に介在される保持体１５と充填材２５は空気よりも熱伝導率が高いので、保持体１５や充填材２５が存在しないものと比較すると、導体１１で発生した熱を放出する性能に優れている。
【００２７】
また、保持体１５が、導体１１を包囲する形態でモールド成形されているので、導体１１の絶縁被覆１３の外周を保持体１５に対して隙間なく密着させることができる。これにより、導体１１と保持体１５との隙間に空気が介在するものと比較すると、導体１１から保持体１５への伝熱効率に優れている。
【００２８】
上記のように放熱性能が向上したことによる効果としては、シールド導電体Ｗａの軽量化を図ることが期待できる。即ち、導体１１（芯線１２）に所定の電流を流したとき、芯線１２の断面積が小さい程、導体１１の発熱量が大きくなるのであるが、本実施形態のように放熱性に優れていれば、導体１１の発熱量が大きくても導体１１の温度上昇を低く抑えることができる。したがって、電気自動車のように導体１１の温度上昇値に上限が定められている環境下では、従来のシールド導電体を、保持体１５と充填材２５を備えることで放熱性を向上させた本実施形態のシールド導電体Ｗａに変更することで、導体１１における発熱許容量が相対的に大きくなる。そして、導体１１における発熱許容量が相対的に大きくなる、ということは、導体１１の温度上昇値に上限が定められた環境下において使用可能な芯線１２の最小断面積を小さくできることを意味し、芯線１２の断面積を小さくすることで、シールド導電体Ｗａの軽量化及び小径化が可能となる。
【００２９】
また、シールド導電体Ｗａの製造工程としては、導電部材１０をシールドパイプ２０内に挿入した後でその隙間に充填材２５を注入する方法も考えられるが、このような製造方法では、充填材２５の粘度が高い場合に導電部材１０とシールドパイプ２０の間に空気溜まりが発生することが懸念される。しかし、本実施形態では、導電部材１０を挿入する前に、流動状態の充填材２５をシールドパイプ２０の内周に塗布しておき、導電部材１０の挿入に伴って充填材２５が導電部材１０とシールドパイプ２０の隙間を埋めるようにしたので、空気溜まりが生じる虞がない。
【００３０】
また、本実施形態では、充填材２５をシールドパイプ２０の内周に塗布しているので、導電部材１０を挿入したときに、充填材２５が導体１１の前端部に付着することが懸念されるが、その対策として、導電部材１０の先端部にキャップ３０を取り付けた状態で導電部材１０を挿入するようにしたので、充填材２５が導体１１の先端部に付着する虞がない。
【００３１】
また、キャップを、導体の先端部にではなく、保持体の先端部に外嵌した場合には、キャップの後端面と保持体の外周との間に段差状の凹部が形成され、この凹部が、キャップに対して導電部材の挿入方向後方に位置することから、導電部材の挿入過程では凹部に充填材が回り込み難くなり、凹部に空気溜まりが発生することが懸念される。その点、本実施形態では、導体１１を保持体１５の内部に貫通させるとともに、導体１１の前端部を保持体１５の先端面から突出させた形態とした上で、導体１１の突出した先端部に保持体１５と同径のキャップ３０を外嵌したので、キャップ３０の後方に段差状の凹部が形成されず、凹部の存在に起因する空気溜まりの発生が回避されている。
【００３２】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。  
（１）上記実施形態ではシールドパイプを螺旋状としたが、本発明によれば、独立した周方向の突部と独立した周方向の溝が交互に連続する蛇腹状の形態としてもよい。  
（２）上記実施形態ではシールドパイプが軸線方向に沿って径が交互に増減する波形に形成されているが、本発明によれば、シールドパイプは、軸線方向において径寸法が一定とされた形態であってもよい。  
（３）上記実施形態ではシールドパイプの横断面形状を概ね円形としたが、本発明によれば、シールドパイプの断面形状は非円形（長円形、楕円形、台形や平行四辺形を含む概ね多角形など）としてもよい。  
（４）上記実施形態では、１本のシールドパイプに挿通される導体の本数は３本としたが、発明によれば、１本のシールドパイプに保持される導体の本数は１本、２本、４本以上のいずれとしてもよい。  
（５）上記実施形態では、１本のシールドパイプに挿通される導電部材の数は１つとしたが、発明によれば、１本のシールドパイプに挿通される導電部材の数は複数であってもよい。  
（６）上記実施形態では、１つの保持体に保持される導体の本数は３本としたが、発明によれば、１つの保持体に保持される導体の本数は１本、２本、４本以上のいずれとしてもよい。  
（７）上記実施形態では導体を芯線の外周を絶縁被覆で包囲した形態としたが、本発明によれば、保持体と充填材が絶縁材料からなる場合には、導体が絶縁被覆で包囲されていない形態としてもよい。  
（８）上記実施形態では保持体の外周形状を円形断面としたが、本発明によれば、保持体の外周形状は非円形（長円形、楕円形、台形や平行四辺形を含む概ね多角形など）としてもよい。  
（９）上記実施形態では導体が保持体の内部を貫通する形態（保持体の内部に埋設された形態）としたが、本発明によれば、導体の一部が保持体の外周から露出又は突出してもよい。  
（１０）上記実施形態では導電部材をシールドパイプに挿入する際に、導体の先端部を保持体の先端面から突出させたが、本発明によれば、導体の先端面が保持体の先端面と面一の状態で導電部材を挿入してもよい。  
（１１）上記実施形態では保持体内で導体が俵積み状に配置されるようにしたが、本発明によれば、導体は一列に並ぶように配置されていてもよく、縦横に整列して配置されていてもよい。  
（１２）上記実施形態では導体を包囲する形態で保持体をモールド成形したが、本発明によれば、成形済みの保持体に導体を挿入してもよい。  
（１３）上記実施形態では導体の絶縁被覆と保持体を同じ種類の合成樹脂材料としたが、本発明によれば、導体の絶縁被覆と保持体を異なる種類の合成樹脂材料としてもよい。
（１４）上記実施形態では導電部材の先端部にキャップを取り付けた状態で取付部材を挿入したが、本発明によれば、キャップを取り付けない状態で挿入を行ってもよい。
（１５）上記実施形態ではキャップを導体の先端部のみに外嵌される形態で取り付けたが、本発明によれば、キャップが導体の先端部だけでなく保持体の先端部にも外嵌される形態で取り付けてもよい。  
（１６）上記実施形態ではキャップの外径を保持体の外径と同寸法としたが、本発明によれば、キャップの外径を保持体の外径よりも大きい寸法又は小さい寸法としてもよい。
（１７）上記実施形態では導電部材を挿入する前の状態で充填材をシールドパイプの内周のみに塗布するようにしたが、本発明によれば、充填材は導電部材の外周のみに塗布してもよく、シールドパイプの内周と導電部材の外周の両方に塗布してもよい。  
（１８）上記実施形態では充填材をシールドパイプの内周における挿入端部側のみに塗布したが、本発明によれば、充填材はシールドパイプの全長に亘って塗布してもよい。  
（１９）上記実施形態では充填材がシールドパイプの挿入端部を塞ぐように塗布されるようにしたが、本発明によれば、充填材はシールドパイプの内部を軸線方向に見通せるような形態で塗布してもよい。
【図面の簡単な説明】
【００３３】
【図１】実施形態１の縦断面図
【図２】図１のＸ−Ｘ線断面図
【図３】導体の側面図
【図４】導電部材の一部切欠側面図
【図５】導体の横断面図
【図６】導電部材にキャップを取り付けた状態をあらわす一部切欠側面図
【図７】シールドパイプの内周に充填材を塗布した状態をあらわす縦断面図
【図８】シールドパイプに導電部材を挿入し始めた状態をあらわす縦断面図
【図９】導電部材の挿入後にキャップを外した状態をあらわす縦断面図
【符号の説明】
【００３４】
Ｗａ…シールド導電体
１０…導電部材
１１…導体
１５…保持体
２０…シールドパイプ
２５…充填材
３０…キャップ
【図１】
2007080623.tif 000003
【図２】
2007080623.tif 000004
【図３】
2007080623.tif 000005
【図４】
2007080623.tif 000006
【図５】
2007080623.tif 000007
【図６】
2007080623.tif 000008
【図７】
2007080623.tif 000009
【図８】
2007080623.tif 000010
【図９】
2007080623.tif 000011